(57)【特許請求の範囲】
【請求項１】
リザーバタンクの底面部に設けられたタンク側接続部を、マスタシリンダ本体に設けられた前記タンク側接続部に対応する本体側接続部に接続し、前記リザーバタンク内と前記マスタシリンダ本体内との間で液を連通可能にすると共に、前記リザーバタンクの底面部には、前記マスタシリンダ本体に対するタンク側支持部を立設し、該タンク側支持部を前記マスタシリンダ本体に形成された該タンク側支持部に対応する本体側支持部に結合部材を介して取り付けたマスタシリンダにおいて、
前記リザーバタンクの底面部には、該底面部における前記タンク側支持部を立設した部分により規定される領域に平面視略重なり合うようにして、かつ、力伝達上前記タンク側支持部と前記底面部以外の面で連続した空隙をもって独立させて、前記リザーバタンク内の液量を検出する液面センサを嵌合して保持する筒部を設けたことを特徴とするマスタシリンダ。
【発明の詳細な説明】
【０００１】
【発明の属する技術分野】
本発明は、車両のブレーキ機構やクラッチ機構等に用いられるマスタシリンダに関する。
【０００２】
【従来の技術】
従来のマスタシリンダの一例として図１１及び図１２に示すものがある。図１１及び図１２において、マスタシリンダ１は、ピストン（図示省略）により画成される２つの液室を有しペダル（図示省略）の踏力を液圧に変えるマスタシリンダ本体２と、マスタシリンダ本体２上に載置されてこのマスタシリンダ本体２用の液を貯留する樹脂製のリザーバタンク３とから、大略構成されている。
リザーバタンク３は、液を貯留するタンク本体４と、タンク本体４の開口部５を閉じるキャップ６とから大略構成されている。
【０００３】
タンク本体４の底面部（リザーバタンク３の底面部）には、マスタシリンダ本体２との固定のための正面視略三角形の２枚の固定用板部（以下、タンク側固定用板部という。）７が相対向して（図１１紙面表裏方向に配置して対面した状態で）立設されている。さらに、タンク本体４の底面部には、タンク側固定用板部７を間にしてマスタシリンダ本体２との連通用の２つの筒状のボス部（以下、タンク側ボス部という。）８が形成されている。タンク側固定用板部７の先端側には、スプリングピン等の軸部材９が挿通される長孔１０が形成されている。
【０００４】
２枚のタンク側固定用板部７間には、それぞれの基端部を挿通するようにして、図１１紙面表裏方向（後述する矢印Ｎと直交する方向）に延びる筒部１１が形成されており、両タンク側固定用板部７の対向面間はこの筒部１１によって一体的に連結されている。この筒部１１にはリザーバタンク３内の液量を検出する液面センサ（図示省略）が嵌合され保持される。この液面センサを嵌合して保持する筒部１１は、タンク本体４の底面部の略中央部分、すなわちタンク側固定用板部７によってマスタシリンダ本体２に対して固定支持されるタンク本体４の底面部分に設けられ、リザーバタンク３の振動による液面変動の影響が少ないように配置されており、液面センサの検出精度の向上が図れるようにしている。
【０００５】
マスタシリンダ本体２の上部における長手方向（図１１矢印Ｎ方向）の略中央部分には前記リザーバタンク３のタンク側固定用板部７に対する固定用板部（以下、シリンダ側固定用板部という。）１２が立設されている。シリンダ側固定用板部１２には前記軸部材９が挿通される孔１３が形成されている。
マスタシリンダ本体２の上部には、タンク側ボス部８をグロメットシール部材（図示省略）を介して嵌装する筒状のボス部（以下、シリンダ側ボス部という。）１４がマスタシリンダ本体２の長手方向（図１１矢印Ｎ方向）に沿って２つ形成されている。前記シリンダ側固定用板部１２は２つのシリンダ側ボス部１４の間における略中央部分に配置されている。
【０００６】
上記のように構成されるリザーバタンク３のマスタシリンダ本体２に対する固定は、タンク側ボス部８をシリンダ側ボス部１４に嵌合させ、かつ、シリンダ側固定用板部１２の孔１３及びタンク側固定用板部７の長孔１０に前記軸部材９を挿通させてリザーバタンク３がマスタシリンダ本体２に固定されている。
【０００７】
【発明が解決しようとする課題】
ところで、上述したマスタシリンダ１では、リザーバタンク３に外力が作用した場合、ボス部８，１４同士間にはグロメットシール部材が介在するのに対し、軸部材９によってシリンダ側固定用板部１２に固定されたタンク側固定用板部７は、リザーバタンク３に作用した外力が伝達されて変形し、これに伴ってタンク側固定用板部７と一体的の筒部１１が変形する虞があった。そして、筒部１１の変形により筒部１１内に保持された液面センサが損傷してしまうことが起こり得た。
【０００８】
本発明は、上記事情に鑑みてなされたもので、液面センサの検出精度を損なうことなく、液面センサの損傷を簡易な構成で抑制できるマスタシリンダを提供することを目的とする。
【０００９】
【課題を解決するための手段】
本発明は、リザーバタンクの底面部に設けられたタンク側接続部を、マスタシリンダ本体に設けられた前記タンク側接続部に対応する本体側接続部に接続し、前記リザーバタンク内と前記マスタシリンダ本体内との間で液を連通可能にすると共に、前記リザーバタンクの底面部には、前記マスタシリンダ本体に対するタンク側支持部を立設し、該タンク側支持部を前記マスタシリンダ本体に形成された該タンク側支持部に対応する本体側支持部に結合部材を介して取り付けたマスタシリンダにおいて、
前記リザーバタンクの底面部には、該底面部における前記タンク側支持部を立設した部分により規定される領域に平面視略重なり合うようにして、かつ、力伝達上前記タンク側支持部と前記底面部以外の面で連続した空隙をもって独立させて、前記リザーバタンク内の液量を検出する液面センサを嵌合して保持する筒部を設けたことを特徴とする。
【００１０】
【発明の実施の形態】
以下、本発明の第１の実施の形態のマスタシリンダ１を図１ないし図５に基づいて説明する。なお、図１１及び図１２に示す部材、部分と同等の部材、部分については、同一の符号で示し、その説明は、適宜、省略する。
図１ないし図５において、リザーバタンク３の底面部３ｔに形成されるタンク側固定用板部（タンク側支持部）７の基端部側には、略台形状の孔（以下、基端側孔という。）１５が形成されている。基端側孔１５に同軸となるようにして、タンク本体４の下面部には、基端側孔１５に比して小径で、かつリザーバタンク３内の液量を検出する液面センサ（図示省略）を嵌合して保持する筒部１１が形成されている。筒部１１は、図１紙面表裏方向に延びたものとなっている。
また、筒部１１は、図５に示すように、リザーバタンク３の底面部３ｔにおけるタンク側固定用板部（タンク側支持部）７を立設した部分により規定される領域Ｓ〔図５にハッチングを示した部分が４か所あるがこの部分に囲まれた範囲（図５に示す縦線Ｘ、横線Ｙで規定される範囲）で、かつタンク側固定用板部７を立設した部分を除く部分〕に平面視少なくともその一部が重なり合うように配置されている。この場合、２枚のタンク側固定用板部７間の長さＭと筒部１１の長さＬとは、図２及び図５に示すように同等に設定されている。
【００１１】
筒部１１は、その外径が基端側孔１５に比して相対的に小さくて、基端側孔１５の縁部との間に略コ字形の空隙１６が残されるようになっている。以下、略コ字形の空隙１６のうち、図１下側部分を下部空隙１６ａといい、図１左右側部分を側部空隙１６ｂという。なお、本実施の形態では、タンク側ボス部８がタンク側接続部を構成し、シリンダ側ボス部１４が本体側接続部を構成し、シリンダ側固定用板部１２が本体側支持部を構成し、軸部材９が結合部材を構成している。
【００１２】
上述したように構成したマスタシリンダ１では、タンク本体４の開口部５側で筒部１１上部に相当する部分に、図３矢印Ａで示すように、マスタシリンダ本体２の長手方向（以下、軸方向という。）と直交する方向（以下、軸直交方向という。）の力が作用した場合、この力の一部がタンク側固定用板部７に伝達されて、タンク側固定用板部７が軸直交方向に変形してタンク本体４からの力を吸収する。
【００１３】
この際、タンク側固定用板部７が変形しても、筒部１１との間に下部空隙１６ａ及び側部空隙１６ｂが形成されていることにより、筒部１１はタンク側固定用板部７の変形力を受けることがなく（すなわち、筒部１１は力伝達上、タンク側固定用板部７と独立したものになっており）、変形することがない。このため、筒部１１に嵌合して保持された液面センサが、筒部１１の変形による損傷を招くことがない。
タンク側固定用板部７と筒部１１との間に空隙１６（下部空隙１６ａ及び側部空隙１６ｂ）を形成することにより、筒部１１変形による液面センサの損傷を防止するので、液面センサの損傷防止を簡易な構成で達成できる。
【００１４】
また、タンク本体４の開口部５側で筒部１１上部から外れた部分に、図３矢印Ｂで示すように、軸直交方向の力が作用した場合、この力の一部がタンク側固定用板部７に伝達されて、タンク側固定用板部７がねじれ変形してタンク本体４からの力を吸収する。この際、タンク側固定用板部７がねじれ変形しても、筒部１１との間に下部空隙１６ａ及び側部空隙１６ｂが形成されていることにより、筒部１１はタンク側固定用板部７の変形力を受けることがなく（すなわち、筒部１１は力伝達上、タンク側固定用板部７と独立したものになっており）、変形することがない。このため、筒部１１に嵌合して保持された液面センサが、筒部１１の変形による損傷を招くことがない。
【００１５】
上述したように、本実施の形態によれば、筒部１１との間に下部空隙１６ａ及び側部空隙１６ｂが形成されていることにより、例えばリザーバタンク３をマスタシリンダ本体２に組み付けたり、あるいはリザーバタンク３のマスタシリンダ本体２への組み付けにより一体化されたマスタシリンダ１を車両に組み付けたりする際等に、仮にタンク側固定用板部７がタンク本体４からの外力を受けて変形しても筒部１１にはタンク側固定用板部７の変形力が伝達されることがなく、筒部１１に嵌合して保持された液面センサが損傷するようなことがない。
【００１６】
なお、仮に筒部１１との間に下部空隙１６ａが形成されていても側部空隙１６ｂを形成しなければ（このタイプのマスタシリンダが特開平９−２８６３１９号公報に示されている。）、タンク本体４からの外力によりタンク側固定用板部７が変形した場合、その変形力が筒部１１に伝達され、筒部１１が変形し液面センサの損傷を招くことが起こり得る。
【００１７】
上記実施の形態では、２枚のタンク側固定用板部７間の長さＭと筒部１１の長さＬとが同等である場合を例にしたが、これに替えて、図６及び図７に示すように、２枚のタンク側固定用板部７間の長さＭに比して短くなるように筒部１１の長さＬを設定してもよい。この場合、筒部１１は、図７に示すように、リザーバタンク３の底面部３ｔにおけるタンク側固定用板部（タンク側支持部）７を立設した部分により規定される領域Ｓ〔図７にハッチングを示した部分が４か所あるがこの部分に囲まれた範囲（図７に示す縦線Ｘ、横線Ｙで規定される範囲）で、かつタンク側固定用板部７を立設した部分を除く部分〕に平面視少なくともその一部が重なり合うように配置されている。
また、図８に示すように、２枚のタンク側固定用板部７間に入るように筒部１１の長さＬを設定してもよい。この場合、筒部１１は、図８に示すように、リザーバタンク３の底面部３ｔにおけるタンク側固定用板部（タンク側支持部）７を立設した部分により規定される領域Ｓ〔図８にハッチングを示した部分が４か所あるがこの部分に囲まれた範囲（図８に示す縦線Ｘ、横線Ｙで規定される範囲）で、かつタンク側固定用板部７を立設した部分を除く部分〕に平面視少なくともその一部が重なり合うように配置されている。
【００１８】
上記実施の形態では、タンク本体４に２枚のタンク側固定用板部７を形成した場合を例にしたが、これに替えて、図９及び図１０に示すように、１枚のタンク側固定用板部７を形成し、マスタシリンダ本体２のタンク側固定用板部７に雌ねじ１７を形成し、タンク側固定用板部７とタンク側固定用板部７とを重ねて雌ねじ１７にボルト１８を螺合するように構成（本発明の第２の実施の形態）してもよい。
第２の実施の形態でも、前記第１の実施の形態と同様に、筒部１１との間に下部空隙１６ａ及び側部空隙１６ｂが形成されていることにより、仮にタンク側固定用板部７がタンク本体４からの外力を受けて変形しても筒部１１にはタンク側固定用板部７の変形力が伝達されることがなく、筒部１１に嵌合して保持された液面センサが損傷するようなことがない。
【００１９】
本発明は、リザーバタンクの底面部には、該底面部における前記タンク側支持部を立設した部分により規定される領域に平面視略重なり合うようにして、かつ、力伝達上前記タンク側支持部と前記底面部以外の面で連続した空隙をもって独立させて、前記リザーバタンク内の液量を検出する液面センサを嵌合して保持する筒部を設けており、タンク側支持部がリザーバタンクからの外力により変形しても筒部がタンク側支持部の変形力を受けることがないので、筒部は変形せず、これにより筒部に嵌合して保持された液面センサが、筒部の変形による損傷を招くことがない。
【図面の簡単な説明】
【図１】本発明の第１の実施の形態のマスタシリンダを示す正面図である。
【図２】図１のＸ−Ｘ線に沿う断面図である。
【図３】図１のリザーバタンクを示す斜視図である。
【図４】図３の部分拡大図である。
【図５】図１のタンク側固定用板部の配置部分を模式的に示す平面視の断面図である。
【図６】第１の実施の形態の筒部に替える他のタイプの筒部を用いたマスタシリンダを示す断面図である。
【図７】図６のタンク側固定用板部の配置部分を模式的に示す平面視の断面図である。
【図８】第１の実施の形態の筒部に替えるさらに他のタイプの筒部を用いたマスタシリンダを模式的に示す平面視の断面図である。
【図９】本発明の第２の実施の形態のマスタシリンダを示す正面図である。
【図１０】図９のＺ−Ｚ線に沿う断面図である。
【図１１】従来のマスタシリンダの一例を示す正面図である。
【図１２】図１１のタンク側固定用板部、シリンダ側固定用板部、タンク側ボス部及びシリンダ側ボス部の位置関係を模式的に示す下面図である。
【符号の説明】
２    マスタシリンダ本体
３    リザーバタンク
７    タンク側固定用板部（タンク側支持部）
１１  筒部
１６  空隙
【図１】
0003906400.tif 000002
【図２】
0003906400.tif 000003
【図３】
0003906400.tif 000004
【図４】
0003906400.tif 000005
【図５】
0003906400.tif 000006
【図６】
0003906400.tif 000007
【図７】
0003906400.tif 000008
【図８】
0003906400.tif 000009
【図１０】
0003906400.tif 000010
【図９】
0003906400.tif 000011
【図１１】
0003906400.tif 000012
【図１２】
0003906400.tif 000013